(57)【要約】【課題】  電子写真装置に使用されるベルト状部材を包装するに当たって、該ベルト状部材が輸送時等の衝撃によって損傷を受けることの無い包装方法を提供すること、また、特に基体がニッケルシームレスベルトの電子写真感光体や定着ベルトにキンクの発生が防止された包装方法を提供すること、更に、包装した状態からベルト状部材を取り出す際に、ベルト状部材を傷めることの無い包装方法を提供すること。【解決手段】  電子写真装置用ベルト状部材の内部に風船状のベルト状部材損傷防止体を挿入し、該防止体内部に気体を注入して該防止体を膨張、拡径することにより、該防止体を該ベルト状部材の内周面に当接させ該ベルト状部材を保持する。また、ニッケルシームレス感光体ベルトまたは定着用ベルトの内部に可撓性シートで形成した中空円筒体を挿入し、該中空円筒体の内部に磁性体片を取り付けて該ベルトを該中空円筒体に磁力で固定する。【選択図】  図１
2005284083.tif 000002
【特許請求の範囲】
【請求項１】
電子写真装置用感光体ベルト（感光層塗布、未塗布を含む）、転写ベルト、または定着ベルト（以下、総称して電子写真装置用ベルト状部材とする）を包装するに当たって、該ベルト状部材の内部に風船状のベルト部材損傷防止体（防止体）を挿入し、該防止体内部に気体を注入して該防止体を膨張、拡径することにより、該防止体を該ベルト状部材の内周面に当接させ該ベルト状部材を保持することを特徴とする電子写真装置用ベルト状部材の包装方法。
【請求項２】
請求項１記載の電子写真装置用ベルト状部材の包装方法において、前記防止体の材質が天然ゴムあるいは合成ゴムであることを特徴とする電子写真装置用ベルト状部材の包装方法。
【請求項３】
請求項１または２記載の電子写真装置用ベルト状部材の包装方法において、ベルト状部材の内部に挿入する前記防止体の数が２個以上５個以下であることを特徴とする電子写真装置用ベルト状部材の包装方法。
【請求項４】
請求項１ないし３のいずれかに記載の電子写真装置用ベルト状部材の包装方法において、ベルト状部材の内部に挿入した前記防止体が膨張、拡径してベルト状部材を保持したとき、該防止体の長さがベルト状部材の幅より１ｃｍ以上長く、該防止体の両端がベルト状部材の両端からはみ出した状態で、包装箱に収納することを特徴とする電子写真装置用ベルト状部材の包装方法。
【請求項５】
請求項１ないし４のいずれかに記載の電子写真装置用ベルト状部材の包装方法において、前記防止体が気体導入管を有し、該導入管を弁で閉開することを特徴とする電子写真装置用ベルト状部材の包装方法。
【請求項６】
請求項１ないし５のいずれかに記載の電子写真装置用ベルト状部材の包装方法において、該ベルト状部材内部で膨張、拡径した前記防止体内部の気体を抜き、該ベルト状部材の保持を解除して、該防止体を再利用に回すことを特徴とする電子写真装置用ベルト状部材の包装方法。
【請求項７】
電子写真装置用ニッケルシームレス感光体ベルトを包装するに当たり、該ベルト内部に可撓性シートで形成した中空円筒体を挿入し、さらに該中空円筒体の内部に磁性体片を取り付けて該ベルトを該中空円筒体に固定することを特徴とする電子写真装置用ニッケルシームレス感光体ベルトの包装方法。
【請求項８】
請求項７記載の電子写真装置用ニッケルシームレス感光体ベルトの包装方法において、前記磁性体片がアスカー硬度１０以上５０以下であることを特徴とする電子写真装置用ニッケルシームレス感光体ベルトの包装方法。
【請求項９】
請求項７または８記載の電子写真装置用ニッケルシームレス感光体ベルトの包装方法において、前記磁性体片が中空円筒体に当接する面積が２平方ｃｍ以上２００平方ｃｍ以下であることを特徴とする電子写真装置用ニッケルシームレス感光体ベルトの包装方法。
【請求項１０】
請求項７ないし９のいずれかに記載の電子写真装置用ニッケルシームレス感光体ベルトの包装方法において、前記中空円筒体を構成する材料の比重が、０．７以上１．５以下であることを特徴とする電子写真装置用ニッケルシームレス感光体ベルトの包装方法。
【請求項１１】
請求項７ないし１０のいずれかに記載の電子写真装置用ニッケルシームレス感光体ベルトの包装方法において、該ベルトの外径が５０ｍｍ以上２５０ｍｍ以下であることを特徴とする電子写真装置用ニッケルシームレス感光体ベルトの包装方法。
【請求項１２】
請求項７ないし１０のいずれかに記載の電子写真装置用ニッケルシームレス感光体ベルトの包装方法において、該ベルトの厚さが２５μｍ以上１００μｍ以下であることを特徴とする電子写真装置用ニッケルシームレス感光体ベルトの包装方法。
【請求項１３】
請求項７ないし１２のいずれかに記載の電子写真装置用ニッケルシームレス感光体ベルトの包装方法において、該ベルトの開口部が水平方向に保持されることを特徴とする電子写真装置用ニッケルシームレス感光体ベルトの包装方法。
【請求項１４】
請求項７ないし１３のいずれかに記載の電子写真装置用ニッケルシームレス感光体ベルトの包装方法における該感光体ベルトに代えてニッケルシームレス定着用ベルトを包装の対象とすることを特徴とする電子写真装置用ニッケルシームレス定着用ベルトの包装方法。
【発明の詳細な説明】
【技術分野】
【０００１】
本発明は、可撓性を有するベルト状の電子写真感光体、あるいは転写ベルト等の電子写真装置用ベルト状部材の包装方法、電子写真装置用ニッケルシームレス感光体ベルトの包装方法、電子写真装置用ニッケルシームレス定着用ベルトの包装方法に関し、特にベルト状部材の外周面の損傷や、ベルト状の電子写真感光体の折れ跡が発生することの無い包装方法に関する。
【背景技術】
【０００２】
電子写真装置では、ベルト状の電子写真感光体や、中間転写ベルト等のベルト状部材が使用されている。これらベルト状部材は可撓性があるので、電子写真装置の各プロセス、例えば帯電、露光、転写、現像、クリーニングが比較的自由にレイアウトすることが可能になり、電子写真装置の小型化に貢献している。
【０００３】
また、近年、電子写真装置の性能の向上は目覚しく、例えば１２００ｄｐｉ、あるいはそれ以上の高解像度や、２５６階調以上の高階調、およびフルカラーが出力可能な電子写真装置が出現しているが、これらの電子写真装置においても、転写ベルトが重要な機能を担っている。また、近年の省エネルギーの要請に応えるため、電子写真装置の種々の省エネルギー化の検討が行なわれており、例えば、ニッケルベルトやポリイミドベルトを基体とするベルト状定着機構が開発あるいは上梓されるようになった。
【０００４】
電子写真装置が市場で使用された場合に、何らかの理由で上記のベルト状部材が損傷を受け交換が必要になる場合が有り、このような場合には交換用のベルト状部材を供給して交換することになる。しかし、上記のベルト状電子写真感光体、中間転写ベルト、あるいは定着ベルトは厚さ２０μｍ〜５０μｍの薄いニッケル製ベルト、あるいはポリエステル製ベルトや、ポリイミド製ベルトを基体としているため、非常に脆弱であり、損傷が発生しやすい。ベルトの損傷としては、キンク（ｋｉｎｋ）と呼ばれる回復不可能な折れ跡や曲がりや変形がある。
【０００５】
このような脆弱で損傷が発生しやすいベルト状部材を交換用として市場に供給しなければならないが、輸送時に、注意深く取り扱われても、なおベルトが損傷する程の衝撃を受けることが多い。従って、上記ベルト状部材を包装梱包するに当たって、衝撃に耐えうる形態に梱包することが大きな課題になっている。特に、基体としてニッケル製のベルトを使用した電子写真感光体では、衝撃によって前記のキンク等が発生しやすい問題が有るため、このような虞れの無い包装形態が望まれている。
【０００６】
このようなベルト状部材の包装方法に関して、例えば特許文献１の感光体用包装部材では、シート状の表面に多数の袋状部材を有する緩衝材を用いることが開示され、またこの緩衝材が筒状体の構造も開示している。しかし、この方法では、基体がニッケルベルトのように密度の高い基体の場合は、輸送時の衝撃によって基体が移動することを防ぐことができず、基体にキンク等の損傷を与えることがあり、充分とは言えない。
【０００７】
また、特許文献２の電子写真感光体の梱包補法及び梱包用包装用部材では、露呈した導電性面を有し、かつ遮光性及び緩衝性である包装部材の前記導電性面を前記感光体の感光体の感光層表面に接面させて全面隠蔽包装する方法が開示されているが、この方法も、基体がニッケルベルトのように密度の高い基体の場合は、輸送時の衝撃によって感光層表面に傷が発生することを防げない問題がある。
【０００８】
また、特許文献３の感光体ベルトの包装方法には、シームレスベルトの内部に弾性変形が可能な芯材を挿入し、ベルトを支持した上で、表面に包装紙を巻回し、段ボール等の容器に直立させた状態で収納する方法が開示されている。しかし、この方法では、シームレスベルトの内部に挿入した芯材を取り外す時、芯材をシームレスベルトを保持した状態から更に弾性変形させて取り出さなければならないが、このとき該シームレスベルトを傷める虞がある。
【０００９】
また、特許文献４の半導電性シームレスベルトの梱包方法および梱包容器には、シームレスベルトの内周面の最近接距離が、円筒状態での直径の半分以下となる状態でシームレスベルトを容器又は枠体に保持する梱包方法が開示されているが、基体がニッケルベルトのように密度の高い基体の場合は、輸送時の衝撃によって基体が移動することを防げず、基体にキンク等の損傷を与えることがある。
【００１０】
このように、いずれの場合もベルト状部材の包装方法としては不十分であり、基体がニッケルベルトの電子写真感光体の場合は、該電子写真感光体を入れて梱包した箱を１５ｃｍの高さから床に落下させただけでキンクの発生が懸念される。
【特許文献１】実開昭６１−７７３８９号公報
【特許文献２】特開平３−１５８８８７号公報
【特許文献３】特開平９−２６９６２４号公報
【特許文献４】特開２００２−２２５９７１号公報
【発明の開示】
【発明が解決しようとする課題】
【００１１】
本発明は、電子写真装置に使用されるベルト状部材等を包装するに当たって、該ベルト状部材が輸送時等の衝撃によって損傷を受けることの無い包装方法を提供すること、また、特に基体がニッケルシームレスベルトの電子写真感光体や定着ベルトにキンクの発生が防止された包装方法を提供すること、更に、包装した状態からベルト状部材を取り出す際に、ベルト状部材を傷めることの無い包装方法を提供することを目的とする。
【課題を解決するための手段】
【００１２】
上記本発明の目的は次の手段によって達成される。すなわち、本発明によれば、
第一に、電子写真装置用ベルト状部材を包装するに当たって、該ベルト状部材の内部に風船状のベルト状部材損傷防止体（防止体）を挿入し、該防止体内部に気体を注入して該防止体を膨張、拡径することにより、該防止体を該ベルト状部材の内周面に当接させ該ベルト状部材を保持することを特徴とする電子写真装置用ベルト状部材の包装方法が提供される。
【００１３】
第二に、第一に記載の電子写真装置用ベルト状部材の包装方法において、前記防止体の材質が天然ゴムあるいは合成ゴムであることを特徴とする電子写真装置用ベルト状部材の包装方法が提供される。
【００１４】
第三に、第一または第二に記載の電子写真装置用ベルト状部材の包装方法において、ベルト状部材の内部に挿入する前記防止体の数が２個以上５個以下であることを特徴とする電子写真装置用ベルト状部材の包装方法が提供される。
【００１５】
第四に、第一ないし第三のいずれかに記載の電子写真装置用ベルト状部材の包装方法において、ベルト状部材の内部に挿入した前記防止体が膨張、拡径してベルト状部材を保持したとき、該防止体の長さが該ベルト状部材の幅より１ｃｍ以上長く、該防止体の両端がベルト状部材の両端からはみ出した状態で、包装箱に収納することを特徴とする電子写真装置用ベルト状部材の包装方法が提供される。
【００１６】
第五に、第一ないし第四のいずれかに記載の電子写真装置用ベルト状部材の包装方法において、前記防止体が気体導入管を有し、該導入管を弁で閉開することを特徴とする電子写真装置用ベルト状部材の包装方法が提供される。
【００１７】
第六に、第一ないし第五のいずれかに記載の電子写真装置用ベルト状部材の包装方法において、該ベルト状部材の内部で拡径した該防止体内部の気体を抜き、該ベルト状部材の保持を解除して、該防止体を再利用に回すことを特徴とする電子写真装置用ベルト状部材の包装方法が提供される。
【００１８】
第七に、電子写真装置用ニッケルシームレス感光体ベルトを包装するに当たり、該ベルトの内部に可撓性シートで形成した中空円筒体を挿入し、さらに該中空円筒体の内部に磁性体片を取り付け該ベルトを該中空円筒体に固定することを特徴とする電子写真装置用ニッケルシームレス感光体ベルトの包装方法が提供される。
【００１９】
第八に、第七に記載の電子写真装置用ニッケルシームレス感光体ベルトの包装方法において、該磁性体片がアスカー硬度１０以上５０以下であることを特徴とする電子写真装置用ニッケルシームレス感光体ベルトの包装方法が提供される。
【００２０】
第九に、第七または第八に記載の電子写真装置用ニッケルシームレス感光体ベルトの包装方法において、該磁性体片の該中空円筒体に当接する面積が２平方ｃｍ以上２００平方ｃｍ以下であることを特徴とする電子写真装置用ニッケルシームレス感光体ベルトの包装方法が提供される。
【００２１】
第十に、第七ないし第九のいずれかに記載の電子写真装置用ニッケルシームレス感光体ベルトの包装方法において、該中空円筒体を構成する材料の比重が、０．７以上１．５以下であることを特徴とする電子写真装置用ニッケルシームレス感光体ベルトの包装方法が提供される。
【００２２】
第十一に、第七ないし第十のいずれかに記載の電子写真装置用ニッケルシームレス感光体ベルトの包装方法において、該ベルトの外径が５０ｍｍ以上２５０ｍｍ以下であることを特徴とする電子写真装置用ニッケルシームレス感光体ベルトの包装方法が提供される。
【００２３】
第十二に、第七ないし第十のいずれかに記載の電子写真装置用ニッケルシームレス感光体ベルトの包装方法において、該ベルトの厚さが２５μｍ以上１００μｍ以下であることを特徴とする電子写真装置用ニッケルシームレス感光体ベルトの包装方法が提供される。
【００２４】
第十三に、第七ないし第十二のいずれかに記載の電子写真装置用ニッケルシームレス感光体ベルトの包装方法において、該ベルトの開口部が水平方向に保持されることを特徴とする電子写真装置用ニッケルシームレス感光体ベルトの包装方法が提供される。
【００２５】
第十四に、第七ないし第十三のいずれかに記載の電子写真装置用ニッケルシームレス感光体ベルトの包装方法における該感光体ベルトに代えてニッケルシームレス定着用ベルトを包装の対象とすることを特徴とする電子写真装置用ニッケルシームレス定着用ベルトの包装方法が提供される。
【００２６】
以下本発明を詳細に説明する。
上記のように、請求項１に示す発明は、電子写真装置に使用されるベルト状部材を包装するに当たって、該ベルト状部材の内部に風船状のベルト状部材損傷防止体を挿入し、該防止体の内部に気体を注入して該防止体を膨張、拡径させ、ベルト状部材の内周面に当接させることによってベルト状部材を保持するものである。この方法によれば、包装対象であるベルト状部材に、膨潤、拡径する前の該防止体を挿入した後、該防止体に気体を導入することによってベルト状部材を内部から保持することが可能になるので、包装する対象が脆弱で損傷しやすい薄肉のベルト状部材であっても、該ベルト状部材に損傷を与えることなく保持することができる。この方法は特に厚さ２５〜１００μｍのニッケルを基体とするベルトに有効であり、従来問題となっていたベルトのキンク発生の問題を解決するものである。
【００２７】
ここで、ベルト状部材の内部に該防止体を挿入するとき、該防止体に気体を一部導入しても良い。該防止体に気体を一部導入することにより、該防止体は一応の形状を保つようになる。すなわち該防止体がゴム風船である場合は、ゴム風船は垂れ下がった状態ではなくなり、包装対象であるベルト状部材の中に挿入することが容易になる。
【００２８】
ベルト状部材の内部に挿入する部材として、特許文献３の図１に示すような弾性変形するシート状芯材を用いた場合は、包装後の保管において、該シート状芯材の重なり部分がベルト状部材に当たり、ベルト状部材にスジ状跡が生じるが、本発明の防止体によれば、ベルト状部材の内周面に接する部材には一切継ぎ目や重なりが無いので、このような問題が発生することはない。また、該特許文献３の図３のような複数のフィン形状を有する芯材でも同様に、包装後の保管において、芯材のフィン部がベルト状部材に当たり、ベルト状部材にスジ状跡が発生する。しかし、本発明の防止体によれば、フィン部が無いので、防止体は包装対象であるベルト状部材に対し部的な圧力がかかって当たらないので、ベルト部材にスジ状跡が発生することが無い。
【００２９】
請求項２に示す発明は、請求項１に示す電子写真装置用ベルト状部材の包装方法において、包装対象であるベルト状部材の内部に入れる該防止体の材質が天然ゴムあるいは合成ゴムを用いるものである。該防止体として、天然ゴムあるいは合成ゴムを使用することにより、大きな倍率で膨張、拡径することができ、また、被包装物であるベルト状部材との摩擦係数を高くすることが可能になるので、輸送時の衝撃によって被包装物の位置が移動することがない。
【００３０】
また、該防止体として、天然ゴムあるいは合成ゴムを使用することにより、安価で、かつ、被包装物である電子写真感光体等に化学的影響を与えることなく保持することが可能になる。
【００３１】
請求項３に示す発明は、上記電子写真装置用ベルト状部材の包装方法において、ベルト状部材の内部に入れる該防止体の数が２個以上、５個以下であるとするものである。ベルト状部材の内部に入れる防止体の数を１個でなく、複数とすることにより、包装するベルト状部材の径が各種有っても、１種類の外径の該防止体を用意しておけば包装することが可能である。また、電子写真装置用ベルト状部材の周長が４５０ｍｍを越える場合、前記防止体の数を１個使用して包装すると、包装時の体積が大きく、嵩張る難点があるが、２個以上、５個以下の包装体を使用することにより、嵩張らずに包装することが可能になる。
【００３２】
図２は請求項３の実施例を示す図であり、前記防止体を２個使用した例である。図２において、２は電子写真装置用ベルト状部材、４は風船状損傷防止体であり、９は該防止体４を固定する機構であり、その両端に該防止体４を固定している。ここで、該防止体４を固定する機構９に、該防止体４が取り付けられているが、その取り付け方法は、各種の方法が可能であり、両面接着テープ、接着剤等が使用できるが、該防止体４の膨張する力で押し付けて固定しても良い。
また、該防止体４を固定する機構９は、包装対象である電子写真装置用ベルト状部材２より大きな幅とし、該ベルト状部材２からはみ出した部分を持って取り扱ったり、あるいは、段ボールへ入れた場合に固定する箇所としても良い。
【００３３】
また、図３も請求項３の別の実施例を示す図であり、前記防止体を４個使用した例である。図３において、２は電子写真装置用ベルト状部材、４は風船状損傷防止体、９は該防止体４を固定する機構であり、その両端に各２個の該防止体４を固定している。該防止体４を固定する機構９に、該防止体４を取り付ける方法は、図２の場合と同様で良い。
【００３４】
請求項４に示す発明は、上記電子写真装置用ベルト状部材の包装方法において、包装対象であるベルト状部材の内部に入れる防止体が、ベルト状部材を保持したとき、該防止体の長さが、ベルト状部材の幅より１ｃｍ以上長く、該防止体の両端がベルト状部材の両端からはみ出した状態にして、包装箱に収納するというものである。ベルト状部材の内部に該防止体を挿入し、これに気体を注入して膨張、拡径することにより、ベルト状部材を保持し、さらに、膨張、拡径した防止体の両端がベルト状部材の両端より外側にはみ出した状態で、これを段ボール等の容器に入れることにより、該ベルト状部材を入れた容器が輸送時に強い衝撃を受けても、該防止体が緩衝機能を有するので、衝撃は直接電子写真装置用ベルト状部材に伝わることがなく、従って、電子写真装置用ベルト状部材に損傷が起きない。
【００３５】
請求項５に示す発明は、上記電子写真装置用ベルト状部材の包装方法において、該防止体が気体導入管を有し、気体の導入排出を該管に備えた弁で行うとするものである。弁を徐々に開くことによって、ベルト状部材の内部で膨張、拡径した防止体の内部の気体を徐々に抜くことができ、ベルト状部材の保持解除が緩やかに行なわれ、ベルト状部材の前記包装箱の中での急激な落下を避けることができる。
ここで、弁としては各種の弁が使用可能であるが、ピンチコックが安価で良い。このように、本方法でベルト状部材を包装した場合は、ベルト状部材に挿入して膨張、拡径してある防止体から気体を抜くことにより、径は小さくなり、ベルト状部材の保持を解除することが可能になる。気体を抜く際は、上記の様に気体を徐々に抜くことが好ましい。気体を一気に抜くと、ベルト状部材の保持が急に解除され、前記包装箱の中でベルト状部材が急激に落下し、損傷する虞が有る。
【００３６】
本発明では、ベルト状部材内部に挿入してある該防止体の内部の気体を抜くだけで容易にベルト状部材の保持を解除できる利点があり、被包装物が脆弱で損傷しやすい薄肉のベルトであっても、損傷を与えることなく、包装した状態からベルトの保持を解除し、ベルトに損傷を与えること無く、容易にベルトを取り出すことが可能になる。
【００３７】
請求項６に示す発明は、上記電子写真装置用ベルト状部材の包装方法において、該ベルト状部材内部で膨張、拡径した防止体内部の気体を抜き、ベルト状部材の保持を解除して、該防止体を再利用に回すことを特徴としている。本発明の防止体は、内部に導入された気体を抜くだけで、ベルト状部材の保持が解除されるので、風船状損傷防止体に損傷を与えることがなく、該防止体を再利用することができる。そのため省資源にも貢献できる。
ここで、該防止体に具備するコックは簡単なもので良く、例えば、該防止体の端部を折り曲げ、これを別のクリップ等で挟んだ、いわゆるピンチコックで充分である。
【００３８】
請求項７に示す発明は、電子写真装置用ニッケルシームレス感光体ベルトを包装するに当たり、該ニッケルシームレス感光体ベルトの内部に可撓性シートで形成した中空円筒体を挿入し、さらに該中空円筒体の内部に磁性体片を取り付け、該ニッケルシームレス感光体ベルトを磁性体片の磁力で保持するように構成するものである。これによればニッケルシームレス感光体ベルトが中空円筒体に吸着し保持されるのでニッケルシームレス感光体ベルトが振動によって移動することがなく輸送時の損傷を免れることができる。
【００３９】
可撓性シートとしては各種材質のシートが使用でき、例えば、紙、合成紙、プラスチックシート、プラスチックシートと紙をラミネートさせたものが適する。
ここでは、可撓性シートを丸めて中空円筒体を作製し、この中空円筒体の内側に磁性体を入れ、この磁性体により、前記電子写真装置用ニッケルシームレスベルトを磁力で保持する。従って、前記電子写真装置用ニッケルシームレスベルトを保持する力は、磁力によるものであり、弾性変形した可撓性シートが元に戻ろうとする力によるものではない。
【００４０】
包装において、芯材に弾性変形する材料を用い、前記電子写真装置用ニッケルシームレスベルトの保持を、弾性変形した芯材が元に戻ろうとする力で保持させた場合、該ニッケルシームレスベルトを取り出すには、前記芯材を一旦更に変形させてから取り出さねばならず、ベルトの材質が薄肉のニッケルの場合は非常に困難である。しかし、本発明によれば、中空円筒体の内側に入れた磁性体を取り外せば、電子写真装置用ニッケルシームレスベルトの保持は解除され、容易に取り外すことが可能になる。
また、該中空円筒体内部に配置する磁性体としては、各種磁性体が使用可能であり、磁力５００ガウス以上、３０００ガウス以下であれば良い。
【００４１】
請求項８に示す発明は、該中空円筒体の内部に取り付ける磁性体片がアスカー硬度１０以上５０以下であるとするものである。アスカー硬度１０以上５０以下であれば、該磁性体片を前記中空円筒体の内面の曲率に合わせて変形させることが可能になるので、磁性体片を密着させて前記中空円筒体の内面に密着させることが可能になり、従って、磁力での保持が充分に行なえる。
【００４２】
請求項９に示す発明は、該磁性体片の面積が２平方ｃｍ以上２００平方ｃｍ以下であるとするものである。該磁性体片の面積が２平方ｃｍ以上２００平方ｃｍ以下であれば、該磁性体片を前記中空円筒体の内面に密着して、前記ニッケルシームレス感光体ベルトを磁力で吸着するのに十分な面積であり、磁力による保持を十分に行える。
【００４３】
請求項１０に示す発明は、中空円筒体を構成する材料の比重が、０．７以上、１．５以下とするもので、この範囲ならば、中空円筒体は充分な強度を持ち、かつ重くならずに該感光体ベルとを保持することが可能になる。ここで、比重が０．７以下であると、中空円筒体は軽すぎて該感光体ベルトを保持するには強度が不足する。また、比重が１．５より大きいと、重くなるので、振動時に電子写真装置用ニッケルシームレス感光体ベルトに過度の振動を与える虞が懸念される。より好ましくは０．８以上、１．０以下である。
【００４４】
請求項１１に示す発明は、該ベルトの外径が５０ｍｍ以上２５０ｍｍ以下であるとするもので、この範囲であれば、包装した状態での体積が大きくならず、輸送や取り扱いが可能な形態とすることができる。
【００４５】
請求項１２に示す発明は、該感光体ベルトの厚さが２５μｍ以上１００μｍ以下であるとするもので、この範囲であれば、薄肉のキンクが発生しやすいベルトであっても、取り扱い時、輸送時及びベルト取り出し時にキンクが発生しない包装が可能になる。
【００４６】
請求項１３に示す発明は、輸送時のニッケルシームレス感光体ベルトの置き方は、ニッケルシームレス感光体ベルトの開口部を水平方向にするというものである。すなわち、輸送時の垂直方向の衝撃は、ニッケルシームレス感光体ベルト内部に挿入した中空円筒体が感光体ベルトを保持することによって吸収する。また、横方向の衝撃が有っても、ニッケルシームレス感光体ベルトは中空円筒体で保持されており、さらにニッケルシームレス感光体ベルトの内部に挿入した中空円筒体の内部に配置された磁性体がニッケルシームレス感光体ベルトが振動によって移動することを防いでいる。
【００４７】
本発明では、ニッケルシームレス感光体ベルトの内部に中空円筒体を挿入し、中空円筒体内部に入れた磁性体で固定しているので、梱包に当たって、ニッケルシームレス感光体ベルトの外周表面で保持しておらず、従って、輸送時の振動や衝撃によってニッケルシームレス感光体ベルトの塗工層の外表面が変形したり、傷付くことがない。
【００４８】
同様に、ニッケルシームレス感光体ベルトの端面で保持していないので、輸送時の振動や衝撃によってニッケルシームレス感光体ベルトの端面が変形したり、傷付くことがない。
【００４９】
請求項１４に示す発明は、電子写真装置用ニッケルシームレス定着用ベルトの包装方法である。すなわち、請求項７から１３ではニッケルシームレス感光体ベルトの包装方法について述べたが、このようなニッケルシームレス感光体ベルトの包装方法をニッケルシームレス定着用ベルトの包装方法として使用すれば、ニッケルシームレス定着用ベルトにキンクの発生しない包装方法を提供することができる。
【発明の効果】
【００５０】
請求項１の電子写真装置用ベルト状部材の包装方法によれば、該ベルト状部材の内部に風船状のベルト状部材損傷防止体を挿入し、該防止体内部に気体を注入し、該防止体を膨張、拡径させ、ベルト状部材の内周面に当接させることによってベルト状部材を保持することから、包装するベルト状部材が薄肉で脆弱であっても、ベルト状部材を損傷することなく保持することができ、ニッケルシームレス感光体ベルトや定着ベルトにキンクを発生させない包装方法を得ることができる。また、包装した状態から該防止体に入れた気体を抜けば、容易にベルト状部材の保持を解除することができ、キンクを発生させることが無い。従って、芯材に弾性体を使用して包装する場合に比べ容易にベルトの包装及び取り出しを行なえる。
【００５１】
請求項２の電子写真装置用ベルト状部材の包装方法によれば、風船状のベルト状部材損傷防止体の材質が天然ゴムあるいは合成ゴムであることから、安価で、かつ、膨張、拡径範囲の広い風船状のベルト状部材損傷防止体を提供することができる。
【００５２】
請求項３の電子写真装置用ベルト状部材の包装方法によれば、ベルト状部材の内部に挿入する風船状のベルト状部材損傷防止体の数が２個以上５個以下であることから、任意な形状でベルト状部材を保持することが可能になり、ベルト状部材の周長が大きな場合は、図２、あるいは図３のように包装することによって、包装した状態での体積を大きくしないで包装することが可能になる。
【００５３】
請求項４の電子写真装置用ベルト状部材の包装方法によれば、膨張、拡径した防止体の長さがベルト状部材の幅より１ｃｍ以上大きく、膨張、拡径した防止体の両端がベルト状部材の両端からはみ出した状態にして、包装箱に収納することから、輸送時に衝撃が加わっても防止体の緩衝機能で吸収するので、ベルト状部材に損傷を与えることがない。
【００５４】
請求項５の電子写真装置用ベルト状部材の包装方法によれば、風船状のベルト状部材損傷防止体が気体導入管を有し、気体の導入排出を該管に備えた弁で行うことから、該防止体の内部の気体を徐々に抜くことが可能になり、ベルト状部材の保持解除が緩やかに行なわれ、ベルト状部材の前記包装箱の中での急激な落下を避けることができる。
【００５５】
請求項６の電子写真装置用ベルト状部材の包装方法によれば、風船状のベルト状部材損傷防止体内部の気体を抜くだけで、ベルト状部材の保持を解除できるため、該防止体を損傷することがなく、容易に該防止体を再利用に回せることから、省資源にも貢献できる。
【００５６】
請求項７の電子写真装置用ニッケルシームレス感光体ベルトの包装方法によれば、該感光体ベルトの内部に可撓性シートで形成した中空円筒体を挿入し、該中空円筒体の内部に磁性体片を取り付け該ベルトを該中空円筒体に固定することから、感光体ベルトが振動によって移動することがなく輸送時の損傷を免れることができる。また、この方法で包装したベルトに挿入してある前記中空円筒体の内部に取り付けられた磁性体片を取り外すことによって、ベルトの保持を解除できるので、ベルトに損傷を与える虞が無く、容易にベルトを取り出すことが可能になる。
【００５７】
請求項８の電子写真装置用ニッケルシームレス感光体ベルトの包装方法によれば、磁性体片がアスカー硬度１０以上５０以下であることから、磁性体片を前記中空円筒体の内面の曲率に合わせて変形させることが可能になるので、磁性体片を前記中空円筒体の内面に密着させることが可能になり、従って、磁力での保持が充分に行なえる。
【００５８】
請求項９の電子写真装置用ニッケルシームレス感光体ベルトの包装方法によれば、前記磁性体片が中空円筒体に当接する面積が２平方ｃｍ以上２００平方ｃｍ以下であることから、該ニッケルシームレス感光体ベルトを磁力で吸着するのに充分な面積が得られ、磁力での保持を充分に行なえる。
【００５９】
請求項１０の電子写真装置用ニッケルシームレス感光体ベルトの包装方法によれば、中空円筒体を構成する材料の比重が、０．７以上１．５以下であることから、中空円筒体は充分な強度を持ち、かつ重くならずに保持することが可能になる。
【００６０】
請求項１１の電子写真装置用ニッケルシームレス感光体ベルトの包装方法によれば、該感光体ベルトの外径が５０ｍｍ以上２５０ｍｍ以下であることから、包装した状態での体積が大きくならず、輸送や取り扱いが可能な形態とすることができる。
【００６１】
請求項１２の電子写真装置用ニッケルシームレス感光体ベルトの包装方法によれば、該感光体ベルトの厚さが２５μｍ以上１００μｍ以下であることから、薄肉でキンクが発生しやすいベルトであっても、輸送時、その他の取り扱い時及び取り出し時にもキンクの発生しない包装が可能になる。
【００６２】
請求項１３の電子写真装置用ニッケルシームレス感光体ベルトの包装方法によれば、該感光体ベルトの開口部が水平方向に保持されることから、輸送時の垂直方向の衝撃は、ニッケルシームレス感光体ベルト内部に挿入した中空円筒体がニッケルシームレス感光体ベルトを保持することによって吸収され、横方向の衝撃も中空円筒体による保持により緩和される。
【００６３】
請求項１４の電子写真装置用ニッケルシームレス定着用ベルトの包装方法によれば、上記ニッケルシームレス感光体用ベルトの包装方法で得られる効果と同様の効果を得ることができる。
【発明を実施するための最良の形態】
【００６４】
以下、図面を参照して、本発明の実施形態を詳細に説明する。
図１は本発明によってベルト状部材を包装する過程を示した図であり、図中、１はテーブル面、２は電子写真装置用ベルト状部材、３は包装用の遮光性紙、４は風船状のベルト状部材損傷防止体、５は該防止体の気体導入部、６は気体導入用管、７はピンチコック、８は段ボール箱である。
【００６５】
図１において、ベルトは図Ａ、Ｂ、Ｃ、Ｄ、Ｅ、Ｆの手順で包装する。
図Ａはテーブル面１の上に包装用遮光性紙３を置き、更にその上に包装対象である電子写真装置用ベルト状部材３を置いた状態である。
図Ｂは電子写真装置用ベルト状部材２の内部に、該防止体４を置いた状態であり、ここでは、ゴム風船を使用した。この状態では、該防止体４には気体は導入していない。
図Ｃは該防止体４に気体導入用管６から気体を導入した状態であり、該防止体４の内部に気体導入用管６から気体を導入することにより該防止体４は膨張、拡径し、電子写真装置用ベルト状部材２の内面に当接する。
図Ｄは該防止体４の気体導入部５をピンチコック７で閉じた状態を示す。
図Ｅは、電子写真装置用ベルト状部材２の表面を遮光性の紙３で覆った状態である。
図Ｆは、更にこれを段ボール箱８に入れた状態である。
【００６６】
上述のように防止体としてゴム風船を用いる場合は、気体導入前の周長が５ｍｍ以上、５０ｍｍ以下、肉厚０．０１ｍｍ〜０．３ｍｍが良い。ゴム風船の周長は、さらに好ましくは、被包装物であるベルト状部材の内周長の１／５以上、４／５以下が良い。また、ゴム風船の肉厚は、さらに好ましくは、０．０３ｍｍ以上、０．２ｍｍ以下が良い。また、ゴム風船に導入する気体は、空気あるいは窒素ガスで充分である。
【００６７】
また、上述の防止体を用いる方法の包装対象は、ニッケルシームレスベルトを基体とする感光層塗布または未塗布のベルト、ポリエステルフィルムベルトを基体とする感光層塗布または未塗布のベルト、ポリエステルイミドベルトを基体とする感光層塗布または未塗布のベルト、あるいはニッケルシームレスベルトを基体とする定着ベルト、ポリイミドベルトを基体とする定着ベルト、ポリイミドベルトを基体とする転写ベルト等である。
【００６８】
図２は風船状のベルト状部材損傷防止体４を２個使用した例の構成図であり、２は該ベルト状部材である。図２の構成では、２個の防止体４は段ボール板９の両端に両面粘着テープで取り付けられており、該防止体４の両端は該ベルト状部材２からはみ出すようになっており、この両端が段ボール箱等の箱内で固定され、該ベルト状部材２の外周面には何も触れないようになっている。このとき、電子写真感光体の表面には遮光性の材料が巻いてある。
【００６９】
図３は風船状のベルト状部材損傷防止体４を４個使用した例の構成図であり、２は該ベルト状部材である。図３の構成では、４個の防止体４が段ボール板９の両端にそれぞれ２個、両面粘着テープで取り付けられており、該防止体４の両端は該ベルト状部材２からはみ出すようになっており、この両端が段ボール箱等の箱内で固定され、該ベルト状部材２の外周面には何も触れない様になっている。このとき、電子写真感光体の表面には遮光性の材料が巻いてある。
【００７０】
図４はニッケールシームレスベルト感光体の包装を実施する過程を示す斜視図であり、１０は包装を行なう対象であるニッケールシームレス感光体ベルト、１１は中空円筒体を作るための可撓性シートである。この可撓性シートの片端から図４の１２の様に丸め、図４の１３の形状とし、これをニッケールシームレス感光体ベルト１０の中に両端が出るようにして挿入し、図４の１４の状態にする。次に、図４の１５に図示した磁石を中空円筒体の内部に入れ、図４の１６の様に粘着テープで固定する。
このようにして図４の１６の厚紙と磁石を内部に入れたニッケールシームレス感光体ベルト１０の両端を持ち、電子写真感光体の表面に遮光性のある紙を巻き、更にこれを図４の１７に示す段ボール製箱の中に入れ、蓋１９を閉じる。
【００７１】
以下に本発明を実施例および比較例によって説明するが、本発明は実施例によって限定されるものではない。
【実施例１】
【００７２】
（下引き層用塗工液の作製）
アルキッド樹脂（ベッコゾール１３０７−６０−ＥＬ（大日本インキ化学工業社製））１５重量部、メラミン樹脂（スーパーベッカミンＧ−８２１−６０（大日本インキ化学工業社製））１０重量部をメチルエチルケトン１５０重量部に溶解し、これに酸化チタン粉末（タイペールＣＲ−ＥＬ（石原産業社製））９０重量部を加えボールミルで１２時間分散したものを容器に取り出し固形分が２５重量％となるようにシクロヘキサノンで稀釈し、下引層用塗工液を作製した。
【００７３】
電鋳法によって作製した周長５２８ｍｍ、長さ４１０ｍｍ、厚み３０μｍ、最大表面粗さ０．０５μｍのニッケルシームレスベルトを用い、このニッケルシームレスベルトに上記により作製した下引き層用塗工液をスプレー塗工法によって塗布した。ここで、スプレーガンは、（株）メサック社製の二流体スプレーを使用した。スプレー塗工後に１３０℃２０分間乾燥し、膜厚が６．５μｍ、有効画像領域の最大膜厚差が０．９μｍの下引き層を形成した。
【００７４】
次にポリビニールブチラール樹脂（エスレックＨＬ−Ｓ（積水化学工業社製））４重量部をシクロヘキサノン１５０重量部に溶解し、これに下記構造式（１）に示すトリスアゾ顔料１０重量部を加え、ボールミルで４８時間分散後、さらにシクロヘキサノン２１０重量部を加えて３時間分散を行った。これを容器に取り出し固形分が１．５重量％となるようにシクロヘキサノンで稀釈した。
【００７５】
こうして得られた電荷発生層用塗工液を前記下引き層上にスプレー塗工法によって塗布後、１３０℃ ２０分間乾燥し、波長６９０ｎｍの透過率４％で有効画像領域の最大透過率差が０．８％の電荷発生層を形成した。ここで、スプレーガンは、（株）明治機械製作所製の二流体スプレーを使用した。
【００７６】
【化１】
2005284083.tif 000003
構造式（１）
【００７７】
次に、テトラヒドロフラン８３部に、ビスフェノールＡ型ポリカーボネート樹脂１０部、シリコンオイル（ＫＦ−５０（信越化学工業社製））０．００２部を溶解し、これに下記構造式（２）の電荷輸送物質８部を加えて溶解させ、固形分が８重量％となるようにシクロヘキサノンで稀釈し電荷輸送層用塗工液を作製した。
【００７８】
こうして得られた電荷輸送層用塗工液を電荷発生層上にスプレー塗工法によって塗布した。ここで、スプレーガンは、（株）明治機械製作所製の二流体スプレーを使用した。
【００７９】
【化２】
2005284083.tif 000004
構造式（２）
【００８０】
スプレー塗工後、１３０℃、２０分間乾燥し、膜厚２５μｍ、有効画像領域の最大膜厚差１．２μｍの電荷輸送層を形成した。その後、エンドレスベルト状感光体の幅が３６７ｍｍになるよう両端を切断した。
【００８１】
以上のようにして作製したニッケルシームレス感光体ベルトを図１のＡの様に机の上に置いた。ここで、包装用の遮光性紙３は、幅３７７ｍｍ、長さ６５０ｍｍ、厚さ約０．０１ｍｍのものを用いた。
【００８２】
次に、図１のＢのように内部にゴム製の風船４を１本挿入した。そして、Ｃ、Ｄ、Ｅ、Ｆの手順でニッケルシームレス感光体ベルトを包装し包装箱に収納した。これを実施例１の包装試料とする。
【実施例２】
【００８３】
実施例１と同じニッケルシームレス感光体ベルトを用意し、これを図２の様にして感光体ベルトを保持し、風船状損傷防止体４を固定する機構９の部分が段ボール箱内で固定されるようにして段ボール箱に入れた。これを実施例２の包装資料とする。
【００８４】
［比較例１］
ニッケルシームレス感光体ベルトに遮光性紙３を巻き、これを垂直に立てて段ボール箱に入れた。これを比較例１の包装試料とする。
【００８５】
［比較例２］
ゴム製の風船の代わりに、幅４２０ｍｍ、長さ６００ｍｍ、肉厚１ｍｍのポリウレタンシートを丸め、これを芯材としてニッケルシームレス感光体ベルトの内部に挿入して包装を行なった。これを比較例２の包装試料とする。
【００８６】
（包装試料の落下試験）
以上の実施例１および２並びに比較例１および２の包装試料について、高さ１５ｃｍおよび高さ３０ｃｍの高さから落下させた後、包装試料からニッケルシームレス感光体ベルトを取り出して、感光体ベルトの状態を目視で調べた。その結果を表１に示す。
【００８７】
ここで、包装試料を落下させるときの箱の姿勢は、箱の底面が着地する姿勢、すなわち、図１のＦの状態で着地する状態、箱の辺が着地する状態、箱の角から着地する状態、及び箱の側面から着地する状態の４種である。前記箱の側面から着地する状態では、箱の中ではベルトの開口部は垂直な状態である。
【００８８】
表１に示すように、目視の結果、実施例１および実施例２の包装試料では落下高さ１５ｃｍ、３０ｃｍ共にキンクの発生が無かったが、比較例１および比較例２のものでは大きさ１ｃｍ〜５ｃｍのキンクが発生した。
【００８９】
【表１】
2005284083.tif 000005
註）表中、高さＡは高さ１５ｃｍ、高さＢは高さ３０ｃｍを表す。
【実施例３】
【００９０】
電鋳法によって作製した、外径１６８ｍｍ、長さ幅４２０ｍｍ、厚み４５μｍのニッケルベルト表面に、実施例１と同じ下引き層塗工液を、スプレー塗工法によって塗布した。スプレー塗工後に１３０℃２０分間乾燥し、膜厚が６．５μｍ、有効画像領域の最大膜厚差が０．９μｍの下引き層を形成した。
次に実施例１と同じ電荷発生層用塗工液を上記下引き層上にスプレー塗工法によって塗布後、１３０℃２０分間乾燥し、波長６９０ｎｍの透過率４％で有効画像領域の最大透過率差が０．８％の電荷発生層を形成した。
次いで、実施例１と同じ電荷輸送層用塗工液を上記電荷発生層上にスプレー塗工法によって塗布した。スプレー塗工後、１３０℃、２０分間乾燥し、膜厚２５μｍ、有効画像領域の最大膜厚差１．２μｍの電荷輸送層を形成した。
その後、エンドレスベルト状感光体の幅が３６７ｍｍになるよう両端を切断した。以上のようにして、ニッケルベルトを基体とする電子写真感光体を作製した。この電子写真感光体が図４の１０である。
【００９１】
次に、幅４２０ｍｍ、長さ９００ｍｍ、厚さ０．７ｍｍの厚紙を用意した。図４の１１が、この幅４２０ｍｍ、長さ９００ｍｍ、厚さ０．７ｍｍの厚紙である。この厚紙１１の片端から図４の１２の様に丸め、図４の１３の形状とした。
【００９２】
このようにして図４の１３の様にして丸めた厚紙を中空円筒体として電子写真感光体１０の中に両端が出るようにして挿入し、図４の１４の状態にした。ここで、厚紙の幅は４２０ｍｍであり、電子写真感光体の幅は３６７ｍｍであるので、電子写真感光体の左右からそれぞれ２６．６ｍｍずつ厚紙で作成した中空円筒体が飛び出している。
【００９３】
次に、図４の１５に図示した２ｃｍ×３ｃｍで２０００ガウスの磁性体片を該厚紙で作成した中空円筒体の内部に入れ、図４の１６の様に粘着テープで厚紙内部に固定した。
【００９４】
このようにして図４の１６の中空円筒体と磁性体片を内部に入れた電子写真感光体の両端を持ち、電子写真感光体の表面に厚さ約０．０３ｍｍの遮光性の有る黒い紙を巻き、更にこれを図４の１７に示す段ボール製箱の中に入れた。
【００９５】
段ボール製箱１７は、厚紙で作成した中空円筒体と磁性体片を内部に入れた電子写真感光体１６を、その中空円筒体の両端部分で保持するようになっている。図４の１８は中空円筒体の両端が入る溝であり、１９はこの段ボール箱１７の蓋である。蓋１９をすることによって、内部に塵埃が入ることを防止できる。このようにして包装したものを実施例３の包装試料とする。
【００９６】
［比較例３］
実施例１実施例３で使用したものと同じ電子写真感光体の開口部を水平にしてダンボール製箱に入れ、蓋をした。このようにして包装したものを比較例３の包装試料とする。
【００９７】
（実施例３と比較例３で得た包装試料の評価）
実施例３の包装試料と比較例３の包装試料を垂直方向に振幅５ｍｍ、周波数５Ｈｚで１０分間振動させた。次に、水平方向に振幅５ｍｍ、周波数５Ｈｚで３０分間振動させた。なお、包装試料は水平方向に不定期に回転させ、特定方向のみの振動にならないようにした。
【００９８】
このようにして垂直方向と水平方向の振動を与えた後、電子写真感光体を取り出して電子写真感光体の状態を目視で調べた。その結果、実施例３の電子写真感光体には傷や損傷が認められなかったが、比較例３の電子写真感光体は表面に細かな傷が付き、また、端面に折れが認められた。これらの傷および損傷は、電子写真装置で画像形成を行ったとき、画像欠陥となるものであった。
【産業上の利用可能性】
【００９９】
本発明の利用可能性として薄肉ベルトの包装方法が挙げられる。
【図面の簡単な説明】
【０１００】
【図１】ＡないしＦは電子写真装置用ベルト状部材の包装手順を示す斜視図である。
【図２】電子写真装置用ベルト状部材の包装の例を示す斜視図である。
【図３】電子写真装置用ベルト状部材の別の包装の例を示す斜視図である。
【図４】電子写真装置用ベルト状部材の包装手順を示す斜視図である。
【符号の説明】
【０１０１】
１    テーブル面
２    電子写真装置用ベルト状部材
３    包装用の遮光性紙
４    風船状損傷防止体
５    風船状損傷防止体の気体導入部
６    気体導入用管
７    弁
８    段ボール箱
９    風船状損傷防止体４を固定する機構
１０    ニッケルシームレス感光体ベルト
１１    中空円筒体を作るための可撓性シート
１２    中空円筒体を作るための可撓性シートの片端から丸めた状態
１３    可撓性シートを巻いて作成した中空円筒体
１４    ニッケルシームレス感光体ベルトに中空円筒体を挿入したもの
１５    磁性体片
１６    ニッケルシームレス感光体ベルトに挿入した中空円筒体内に磁性体片を固定したもの
１７    包装箱
１８    中空円筒体の両端が入る溝
１９    包装箱の蓋
【図１】
2005284083.tif 000006
【図２】
2005284083.tif 000007
【図３】
2005284083.tif 000008
【図４】
2005284083.tif 000009